(57)【要約】【課題】住宅内の調理室で調理機器の操作に連動させて換気を行う換気装置または換気システムを提供することを目的とする。【解決手段】換気装置２は、前面を覆うフード４と、内部に複数の換気風量に切り替えて室内の空気を排出する送風手段５と、この換気装置２の下方に配置した加熱調理手段３から報知された赤外線信号の「有／無し」を受信する赤外線の受光素子からなる無線信号検知手段６と、前記フード４の下面側に向けて配置し、前記加熱調理手段３天面上の温度を検知する環境検知手段７と、前記赤外線信号を受信したときに前記温度の変化を検知して前記送風手段５の動作または、停止を決定する判定手段８を備えて、前記加熱調理手段３の操作に連動して、換気を行なう換気システム。【選択図】図１
2006214664.tif 000002
【特許請求の範囲】
【請求項１】
加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた送風機の動作または、停止を決定する判定手段とを備えて、前記加熱調理手段の操作に連動させて換気を行なう換気装置。
【請求項２】
加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた風量調節の可能な送風機の動作または、停止を決定する判定手段と、環境の変化を検知したときに前記送風機を動作させる風量をあらかじめ設定する風量設定手段とを備えて、前記加熱調理手段の操作に連動させて換気を行なう換気装置。
【請求項３】
加熱調理手段近傍の環境変化を検知する環境検知手段を設けた請求項１または２記載の換気装置。
【請求項４】
温度変化を検知する環境検知手段を設けた請求項１または２記載の換気装置。
【請求項５】
環境検知手段で、温度変化を温度が高くなる方向へ検知した場合、送風機の運転を開始させる判定手段を備えた請求項１、２、３または４記載の換気装置。
【請求項６】
環境検知手段で、温度変化を温度が低くなる方向へ検知した場合、送風機の運転を停止させる判定手段を備えた請求項１、２、３または４記載の換気装置。
【請求項７】
無線信号検知手段により受信される信号に赤外線を使用することを特徴とする請求項１または２記載の換気装置。
【請求項８】
無線信号検出手段は、送風機の風量を切り替えるリモコンから発信される信号を受信するリモコン受信手段をかねた構成とした請求項１または７記載の換気装置。
【請求項９】
無線信号を検知したときに、送風機の風量を切り替える無線信号か否かを加熱調理手段から送信される無線信号に対して優先的に判定する信号別手段を備え換気をおこなう請求項８記載の換気装置。
【請求項１０】
加熱開始操作および加熱停止操作に連動して、無線信号を送信する送信手段を設けた加熱調理手段と、前記加熱調理手段の近傍に設けた請求項１、２、３、４、５、６、７または８記載の換気装置を備え、前記加熱調理手段の操作に連動させて換気を行なう換気システム。
【発明の詳細な説明】
【技術分野】
【０００１】
本発明は、住宅の調理場用換気装置および換気システムに関する。
【背景技術】
【０００２】
近年、住宅の気密性の向上により、加熱調理機器を用いた調理の際に換気扇を動作させる機会が多く、加熱調理機器の操作に連動した換気装置または換気システムの需要が高まってきている。
【０００３】
従来この種の換気装置は、フード内に送風手段が内蔵され、フードまたはフード内に加熱調理機器の使用の有無を検知するセンサが装着され、フード下に設けた調理器のトップ面に設けた発信部から加熱調理機器の使用の有無しを報知する信号を受けて送風手段の運転停止を行なうものであった（例えば、特許文献１参照）。
【０００４】
以下、その換気装置について図９〜１２を参照しながら説明する。
【０００５】
換気装置１０１は、フード１０２と、このフード１０２の内部に送風手段１０３と、この換気装置１０１の下方に配置した加熱調理機器１０４から報知された信号を受けて加熱調理機器１０４の使用の「有／無し」を検知するセンサ１０５が内蔵されていた。
【０００６】
また、前記加熱調理機器１０４は、内部に設けたヒータ１０６の電源スイッチ１０７の操作に連動させて、発信発光部１０８から連続的に赤外線信号を発信またはヒータ通電開始と通電停止を示す赤外線信号を発信するものであった。
【０００７】
そして、前記センサー１０５は、発信発光部１０８から発信された赤外線信号をあらかじめ加熱調理機器１０４と換気装置１０１との間で決められた信号フォーマットまたは信号のパターンによって受信した信号から加熱調理機器１０４の使用の「有／無し」を判定して送風機１０３を動作させるものであった。
【０００８】
このように、従来の換気装置１０１は、加熱調理機器１０４から発信して使用の「有／無し」を報知する信号を受読して送風手段１０３の運転をおこなうものであった。
【特許文献１】特開平１０−２０５８４０号公報
【発明の開示】
【発明が解決しようとする課題】
【０００９】
このような従来の構成は、加熱調理機器から発信する使用の「有／無し」を示す報知信号を換気装置が受け取り連動動作をおこなうもので、あらかじめ信号のパターンやフォーマットを合わせなければ連動操作ができないものであった。
【００１０】
そのために、使用者は、加熱調理機器と換気装置のどちらか一方が故障した場合であっても両方を同時に交換しなければならないことが課題であった。
【００１１】
本発明は、このような従来の課題を解決するもので、加熱調理機器から発信した信号の「有／無し」を検知して換気扇の運転開始および停止を行ない、信号フォーマットや信号のパターンの異なる調理器具にも連動して運転および停止ができる換気装置を提供することを目的とする。
【課題を解決するための手段】
【００１２】
前記課題を解決するために、本発明の換気装置は、加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた送風機の動作または、停止を決定する判定手段とを備え、前記加熱調理手段の操作に連動させて前記送風機を動作させる構成としたものである。
【００１３】
また、加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた風量調節の可能な送風機の動作または、停止を決定する判定手段と、環境の変化を検知したときに前記送風機を動作させる風量をあらかじめ設定する風量設定手段とを備え、前記加熱調理手段の操作に連動させて前記送風機を動作させる構成としたものである。
【００１４】
また、加熱調理手段近傍の環境変化を検知する環境検知手段を設けて、前記加熱調理手段の操作に連動させて前記送風機を動作させる構成としたものである。
【００１５】
また、温度変化を検知する環境検知手段を設けて、前記加熱調理手段の操作に連動させて前記送風機を動作させる構成としたものである。
【００１６】
また、環境検知手段で、温度変化を温度が高くなる方向へ検知した場合、送風機の運転を開始させる判定手段を備えて、前記加熱調理手段の操作に連動させて前記送風機を動作させる構成としたものである。
【００１７】
また、環境検知手段で、温度変化を温度が低くなる方向へ検知した場合、送風機の運転を停止させる判定手段を備えて、前記加熱調理手段の操作に連動させて前記送風機を動作させる構成としたものである。
【００１８】
また、無線信号検知手段により受信される信号に赤外線を使用することを特徴として、前記加熱調理手段の操作に連動させて前記送風機を動作させる構成としたものである。
【００１９】
また、無線信号検出手段は、送風機の風量を切り替えるリモコンから発信される信号を受信するリモコン受信手段をかねた構成として、前記加熱調理手段の操作に連動させて前記送風機を動作させる構成としたものである。
【００２０】
また、無線信号を検知したときに、送風機の風量を切り替える無線信号か否かを加熱調理手段から送信される無線信号に対して優先的に判定する信号別手段を備えて、前記加熱調理手段の操作に連動させて前記送風機を動作させる構成としたものである。
【００２１】
さらに、加熱開始操作および加熱停止操作に連動して、無線信号を送信する送信機を設けた加熱手段と、前記加熱調理手段の近傍に前記換気装置を設けて、前記加熱調理手段の操作に連動させて前記送風機を動作させる換気システムの構成としたものである。
【発明の効果】
【００２２】
以上のように本発明の換気装置によれば、加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた送風機の動作または、停止を決定する判定手段とを備え、前記加熱手段の操作に連動させて前記送風機を動作させて換気をおよび換気の停止行なうことができる。
【００２３】
また、加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた風量調節可能な送風機の動作または、停止を決定する判定手段と、環境の変化を検知したときに前記送風機を動作させる風量をあらかじめ設定する風量設定手段を備え、前記加熱調理手段の操作に連動させてあらかじめ設定した風量で前記送風機を動作させて換気および換気の停止を行なうことができる。
【００２４】
また、加熱調理手段近傍の環境変化を検知する環境検知手段を設けて、前記加熱調理手段の操作に連動させて前記送風機を動作させ換気および換気の停止を行なうことができる。
【００２５】
また、温度変化を検知する環境検知手段を設けて、前記加熱調理手段の操作に連動させて前記送風機を動作させて換気および換気の停止を行なうことができる。
【００２６】
また、環境検知手段で、温度変化を温度が高くなる方向へ検知した場合、送風機の運転を開始させる判定手段を備えて、前記加熱調理手段の操作に連動させて前記送風機を動作させて換気および換気の停止を行なうことができる。
【００２７】
また、環境検知手段で、温度変化を温度が低くなる方向へ検知した場合、送風機の運転を停止させる判定手段を備えて、加熱調理手段の操作に連動させて送風機を動作させて換気および換気の停止を行なうことができる。
【００２８】
また、無線信号検知手段により受信される信号に赤外線を使用することを特徴として、加熱手段の操作に連動させて送風機を動作させて換気および換気の停止を行なうことができる。
【００２９】
また、無線信号検出手段は、送風機の風量を切り替えるリモコンから発信される信号を受信するリモコン受信手段をかねた構成として、前記加熱調理手段の操作に連動させて前記送風機を動作させて換気および換気の停止を行なうことができる。
【００３０】
また、無線信号を検知したときに、送風機の風量を切り替える無線信号か否かを加熱調理手段から送信される無線信号に対して優先的に判定する信号判別手段を備えて、前記加熱調理手段の操作に連動させて前記送風機を動作させて換気および停止を行なうことができる。
【００３１】
さらに、加熱開始操作および加熱停止操作に連動して、無線信号を送信する送信機を設けた加熱調理手段と、この加熱調理手段の近傍に前記換気装置を設置したシステム構成として、前記加熱調理手段の操作に連動させて前記送風機を動作させて換気および停止を行なうことができる。
【発明を実施するための最良の形態】
【００３２】
請求項１記載の発明は、加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた送風機の動作または、停止を決定する判定手段とを備え、前記加熱調理手段の操作に連動させて前記送風機を動作させる作用を有する。
【００３３】
請求項２記載の発明は、加熱調理手段の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた風量調節可能な送風機の動作または、停止を決定する判定手段と、環境の変化を検知したときに前記送風機を動作させる風量をあらかじめ設定する風量設定手段を設けた構成として、前記加熱調理手段の操作に連動させて前記送風機を動作させる作用を有する。
【００３４】
請求項３記載の発明は、前記加熱調理手段近傍の環境変化を検知する環境検知手段を設けて、前記加熱調理手段の操作に連動させて前記送風機を動作させる作用を有する。
【００３５】
請求項４記載の発明は、温度変化を検知する環境検知手段を設けて、前記加熱調理手段の操作に連動させて前記送風機を動作させる作用を有する。
【００３６】
請求項５記載の発明は、前記環境検知手段で、温度変化を温度が高くなる方向へ検知した場合、送風機の運転を開始させる判定手段を備えて、前記加熱調理手段の操作に連動させて前記送風機を動作させる作用を有する。
【００３７】
請求項６記載の発明は、環境検知手段で、温度変化を温度が低くなる方向へ検知した場合、送風機の運転を停止させる判定手段を備えて、前記加熱調理手段の操作に連動させて前記送風機を動作させる作用を有する。
【００３８】
請求項７記載の発明は、前記無線信号検知手段により受信される信号に赤外線を使用することを特徴として、前記加熱調理手段の操作に連動させて前記送風機を動作させる作用を有する。
【００３９】
請求項８記載の発明は、前記無線信号検出手段は、送風機の風量を切り替えるリモコンから発信される信号を受信するリモコン受信手段をかねた構成として、前記加熱調理手段の操作に連動させて前記送風機を動作させる作用を有する。
【００４０】
請求項９記載の発明は、信号判別手段で、無線信号を検知したときに、送風機の風量を切り替える無線信号か否かを加熱調理手段から送信される無線信号に対して優先的に判定して、前記加熱調理手段の操作に連動させて前記送風機を動作させる作用を有する。
【００４１】
請求項１０記載の発明は、加熱開始操作および加熱停止操作に連動して、無線信号を送信する送信手段を設けた加熱調理手段と、この加熱調理手段の近傍に前記換気装置を設けた構成として、前記加熱調理手段の操作に連動させて前記送風機を動作させる作用を有する。
【００４２】
（実施形態１）
以下、本発明の実施形態１について図１〜図４を参照しながら説明する。
【００４３】
図１および図２に示すように、住宅内の調理場に取り付ける換気システム１は、換気装置２と加熱調理機器３から構成されている。
【００４４】
前記換気装置２は、前面を覆うフード４と、内部に複数の換気風量に切り替えて室内の空気を排出する送風機５と、この換気装置２の下方に配置した前記加熱調理機器３から報知された赤外線信号の「有／無し」を受信する赤外線の受光素子からなる無線信号検知手段６と、前記フード４の下面側に向けて配置し、前記加熱調理機器３近傍、すなわち、環境変化の大きい天面上の温度を検知するサーミスタからなる環境検知手段７と、前記赤外線信号を受信したときに前記温度の変化を検知して前記送風機５の動作または、停止を決定する判定手段８とを備えている。
【００４５】
また、前記換気装置２は、環境の変化を検知したときに動作させる送風機５の風量を使用者があらかじめ前記換気装置２の押しボタン操作スイッチ（図示せず）の一部を操作して設定する風量設定手段９を設けた構成としている。
【００４６】
また、前記加熱調理機機器３は、内部に調理を行なう際の誘導加熱を行なう熱源ヒータ１０と、この熱源ヒータ１０の点火スイッチ１１と、この点火スイッチ１１の操作に連動させて、送信手段１２から赤外線信号を発信する構成としている。
【００４７】
上記構成において、図３のフローチャートと図４のタイミングチャートに示すように、使用者は、あらかじめ換気装置２の風量設定手段９で、連動運転時の換気風量を想定して送風機５の風量を設定しておく。
【００４８】
加熱調理機器３で調理を開始するときに、点火スイッチ１１を操作させると、送信手段１２から赤外線信号が発信され、換気装置２は、無線信号検知手段６で、この赤外おきに線信号の発生を検知する。そして、加熱調理機器３を動作し始めると、この加熱調理機器３の天面上の温度が徐々に上昇し、環境検知手段７は、この温度変化を検知して、判定手段８は、調理を開始したことを検知して、送風機５をあらかじめ風量設定手段９で設定した風量で連動運転させる。
【００４９】
つぎに、調理作業が終了して、加熱調理機器３の点火スイッチ１１を操作停止にすると、送信手段１２から赤外線信号が発信され、換気装置２は、無線信号検知手段６で、この赤外線信号の発生を検知する。そして、加熱調理機器３の動作が停止すると、この加熱調理機器３の天面上の温度は、徐々に下降して、環境検知手段７は、この温度変化を検知して、判定手段８は、調理を終了したことを検知して、送風機５を停止させる。
【００５０】
実施形態１では、加熱調理機器３の加熱開始操作および加熱停止操作に連動して、前記加熱調理機器３から送信される赤外線信号の発生を検知する無線信号検知手段６と、前記赤外線信号が発生を検知したときを起点にして、前記加熱調理機器３の近傍の環境変化、すなわち、天面上の温度変化を換気装置２側の環境検知手段７で検知して、温度が高くなる方向を検知した場合は、送風機５を動作させて、また、温度が低くなる方向へ検知した場合は、送風機５を停止をさせる判定を判定手段８で行なうことで、加熱調理機器３の操作に連動させて送風機５を動作させて換気を行なうことができる。
【００５１】
また、無線信号の発生を起点にして、温度変化を検知することで、電磁調理器等の電気式の加熱調理手段３を用いた場合の換気システム１の場合にも、加熱調理機器３の操作開始と終了を確実に検知して、送風機５の動作および停止を行い調理時の換気を行なうことができる。
【００５２】
また、使用者が、判定手段８に設けた風量設定手段９で、あらかじめ連動運転時の風量を設定しておくことで、送風機５の連動動作を行なうことができ、調理環境にあわせた適切な換気風量を確保することができる。
【００５３】
さらに、無線信号として赤外線信号を使用することで、使用者は、操作時に赤外線信号を発信する汎用的な加熱調理機器３に対して、幅広く換気装置２を組み合わせて、換気システム１を構成し、加熱調理機器３での調理操作に連動して換気を行なうことができる。
【００５４】
特に、加熱調理機器３が故障して、交換をする場合には、メーカや型番をあわせなくても操作に連動して赤外線信号の発信がされるものを用意すれば、換気装置２との連動信号のフォーマットや連動信号のロジック等をあわさなくても容易に連動させて換気をおこなうことができる。
（実施形態２）
以下、本発明の実施形態２は、無線信号検出手段が、送風機の風量を切り替えるリモコンから発信される信号を受信するリモコン受信手段をかねた場合について図５〜図７を参照しながら説明する。
【００５５】
図５および図６に示すように、住宅内の調理場に取り付ける換気システム１３は、換気装置１４と加熱調理機器３から構成されている。
【００５６】
前記換気装置１４は、前面を覆うフード４と、内部に複数の換気風量に切り替えて室内の空気を排出する送風機５と、この送風機５の運転および停止操作を家電協会フォーマットを用いた第一の赤外線信号１５を発信して遠隔操作を行なうリモコン１６と、この第一の赤外線信号１５と前記換気装置１４の下方に配置した前記加熱調理機器３から報知された第二の赤外線信号１７の「有／無し」とを受信する赤外線の受光素子からなる無線信号検知手段１８と、前記フード４の下面側に向けて配置し、前記加熱調理機器３近傍、すなわち、環境変化の大きい天面上の温度を検知するサーミスタからなる環境検知手段７と、前記赤外線信号を受信したときに前記第一の赤外線信号１５と第二の赤外線信号１７とを判別するする信号判別手段１９と、前記第一の赤外線信号１５と判別したときに引き続き信号の解読を行ない前記送風機５の動作または、停止を決定する第一の決定手段２０と、前記第二の赤外線信号１７を受信したことを前記信号判別手段１９で検出したときに前記環境検出手段７で温度の変化を検知して前記送風機５の動作または、停止を決定する第二の決定手段２１とからなる判定手段２２とを備えている。
【００５７】
また、前記信号判別手段１９は、受信した赤外線信号を前記第一の赤外線信号１５か否かの判定を、前記第二の赤外線信号１７に対して優先的に判定するものである。
【００５８】
また、前記換気装置１４は、環境の変化を検知したときに動作させる送風機５の風量を使用者があらかじめ前記換気装置１４の操作スイッチ（図示せず）の一部を操作して設定する風量設定手段９を設けた構成としている。
【００５９】
また、前記加熱調理機機器３は、内部に調理を行なう際の誘導加熱を行なう熱源ヒータ１０と、この熱源ヒータ１０の点火スイッチ１１と、この点火スイッチ１１の操作に連動させて、送信手段１２から第二の赤外線信号１７を発信する構成としている。
【００６０】
上記構成において、図７のフローチャートと図８のタイミングチャートに示すように、使用者は、あらかじめ換気装置１４の風量設定手段９で、連動運転時の換気風量を想定して送風機５の風量を設定しておく。
【００６１】
加熱調理機器３で調理を開始するときに、点火スイッチ１１を操作させると、送信手段１２から第二の赤外線信号１７が発信され、換気装置１４は、無線信号検知手段１８で、この赤外線信号の発生を検知する。そして、信号判別手段１９で家電製品協会フォーマットに載って、信号の判別を行ない第一の赤外線信号１５でないことを判定して、第二の赤外線信号１７と判定する。
【００６２】
また、加熱調理機器３を動作し始めると、この加熱調理機器３の天面上の温度が徐々に上昇し、環境検知手段７は、この温度変化を検知して、第二の決定手段２１は、調理を開始したことを検知して、送風機５をあらかじめ風量設定手段９で設定した風量で連動運転させる。
【００６３】
つぎに、調理作業が終了して、加熱調理機器３の点火スイッチ１１を操作停止にすると、送信手段１２から第二の赤外線信号１７が発信され、換気装置１４は、無線信号検知手段１８で、この赤外線信号の発生を検知する。そして、信号判別手段１９で家電製品協会フォーマットに載って、信号の判別を行ない第一の赤外線信号１５でないことを判定して、第二の赤外線信号１７と判定する。
【００６４】
また、加熱調理機器３の動作が停止すると、この加熱調理機器３の天面上の温度は、徐々に下降して、環境検知手段７は、この温度変化を検知して、第二の決定手段２１は、調理を終了したことを検知して、送風機５を停止させる。
【００６５】
実施形態２では、加熱調理機器３の加熱開始操作および加熱停止操作に連動して、前記加熱調理機器３から送信される第二の赤外線信号１７の発生を検知する無線信号検知手段１８は、送風機５を遠隔にて操作するリモコン１６から送信される第一の赤外線信号１５の受信をするリモコン受信手段をかねた構成としても、信号判別手段１９で、判別を行ない第二の赤外線信号１７と判別されたときに、環境検知手段７で、前記加熱調理機器３近傍、すなわち、天面上の温度変化を検知して、第二の決定手段２１で、前記送風機５の運転動作を行なうことができ、加熱調理機器３の操作に連動して、換気を行なうことができる。
【００６６】
また、第一の赤外線信号１５は、他の機器との誤動作を防して、確実に遠隔操作を行なうために所定のフォーマットのなかで、情報量を多くした信号であるため、第二の赤外線信号１７に対して、前記信号判別手段１９は、受信した赤外線信号を前記第一の赤外線信号１５か否かの判定を、前記第二の赤外線信号１７に対して優先的に判定することで、前記無線信号検出手段１８は、送風機５の風量を切り替えるリモコン１６から発信される信号を受信するリモコン受信手段をかねた構成としても、より精度高く信号の解読を行ないリモコン１６での遠隔操作を確保しながら、前記加熱調理機器３の操作に連動して、換気を行なうことができる。
【００６７】
なお、実施形態１では、加熱調理機器３は、この点火スイッチ１１の操作に連動させて、送信手段１２から赤外線信号を発信する構成としているが、発信する赤外線信号は、例えば家電製品協会フォーマット等の特定のフォーマットを使用してもしなくても、点火スイッチ１１の操作タイミングに合わせて赤外線の信号を発信するものであれば、本発明の換気装置の連動運転できることはいうまでもない。
【００６８】
また、実施形態１および２では、サーミスタからなる環境検知手段７を設けて、加熱調理機器３の天面上の温度変化を検知しているが、赤外線式の温度検知器を使用して加熱調理機器３の天面の温度を計測しても本発明の換気装置２および１４の連動運転ができることはいうまでもない。
【００６９】
また、実施形態１および２では、無線信号に赤外線信号を使用しているが、加熱調理機器３から超音波信号を発信して、換気装置２または１４の無線信号検知手段６または１８で超音波信号を受ける構成としても本発明の換気装置２および１４の連動運転ができることはいうまでもない。
【００７０】
また、実施形態１および２では、加熱調理機器３の操作に連動して発信された赤外線信号を検知した場合の動作について、説明をしているが、テレビや空調機を操作するリモコンから発信された赤外線信号を無線信号検知手段６または１８で受信した場合前記加熱調理機器３は操作していないため環境検知手段７は、環境の変化を検知しないため換気装置２および１４が誤動作をすことはない。
【００７１】
また、実施形態１および２では、熱源ヒータとして、誘導加熱型のものを用いているが、その形式に限定がないことはいうまでもない。
【００７２】
さらに、熱源ヒータとして、ガスの燃焼を利用したものを用いても、加熱調理機器の操作に連動して、換気装置の運転ができることはいうまでもない。
【産業上の利用可能性】
【００７３】
本発明にかかる換気システムは、加熱調理機器の加熱開始操作および加熱停止操作に連動して、前記加熱調理手段から送信される無線信号の発生を検知する無線信号検知手段と、環境の変化を検知する環境検知手段と、前記無線信号が発生したときに前記環境の変化を検知して内部に設けた送風機の動作または、停止を決定する判定手段とを備え、加熱調理機器の操作に連動させて送風機を動作させて換気を行なうことから、あらかじめ加熱調理機器と、換気装置との間で連動信号のフォーマットや信号パターンの取り決めを行なった機器を組み合わせることをしなくても、加熱開始操作と停止操作を報知する任意の加熱手段に換気装置組み合わせて換気の連動運転をさせることに有用である。
【図面の簡単な説明】
【００７４】
【図１】本発明の実施形態１の換気システムの構造を示す図
【図２】同実施形態１の換気システムのブロック図
【図３】同実施形態１の動作フローチャート
【図４】同実施形態１の連動動作を示すタイミングチャート
【図５】本発明の実施形態２の換気システムの構造を示す図
【図６】同実施形態２の換気システムのブロック図
【図７】同実施形態２の動作フローチャート
【図８】同実施形態２の連動動作を示すタイミングチャート
【図９】従来換気装置の構造図
【図１０】同従来換気装置のブロック図
【図１１】同従来換気装置の動作フローチャート
【図１２】同本従来換気装置の連動動作を示すタイミングチャート
【符号の説明】
【００７５】
２    換気装置
３    加熱調理機器
５    送風機
６    無線信号検知手段
７    環境検知手段
８    判定手段
１０  熱源ヒータ
１１  点火スイッチ
１２  送信手段
１４  換気装置
１５  第一の赤外線信号
１６  リモコン
１７  第二の赤外線信号
１８  無線信号検知手段
２２  判定手段
【図１】
2006214664.tif 000003
【図２】
2006214664.tif 000004
【図３】
2006214664.tif 000005
【図４】
2006214664.tif 000006
【図５】
2006214664.tif 000007
【図６】
2006214664.tif 000008
【図７】
2006214664.tif 000009
【図８】
2006214664.tif 000010
【図９】
2006214664.tif 000011
【図１０】
2006214664.tif 000012
【図１１】
2006214664.tif 000013
【図１２】
2006214664.tif 000014